(57)【要約】【課題】  新生児用品に新生児の氏名を表示する刺繍を短時間で縫着できる新生児用品を提供する。【解決手段】  出産時の病院を退院する新生児が身に着ける衣服、靴下、帽子、エプロン、おくるみ等の所定部位に氏名を表示するための氏名表示領域１２を設け、該氏名表示領域１２に新生児の氏名を表示する刺繍を設けたネームラベル１３を縫着するようにした。【選択図】  図１
2005325460.tif 000002
【特許請求の範囲】
【請求項１】
出産時の病院を退院する新生児が身に着ける衣服、靴下、帽子、エプロン、おくるみ等の所定部位に氏名を表示するための氏名表示領域を設け、該氏名表示領域に新生児の氏名を表示する刺繍を設けたネームラベルを縫着したことを特徴とする新生児用品。
【請求項２】
前記ネームラベルは前記氏名表示領域に合致させて環状に縫着され、前記氏名表示領域には、前記ネームラベルが縫着された状態における環状の輪郭模様を有する模様が設けられたことを特徴とする新生児用品。
【発明の詳細な説明】
【技術分野】
【０００１】
本発明は、出産時の病院を退院する新生児の衣服、靴下、帽子、おくるみ等の新生児用品に関するものである。
【背景技術】
【０００２】
出産時に入院中の母親の多くは、知人や友人から出産祝いのプレゼントとして新生児の衣服や帽子、靴下、おくるみ等の新生児用品を受け取ることが一般的である。このような出産祝いとしての新生児用品には、新生児の氏名を表示する刺繍を縫着して、ネームを入りの新生児用品を両親または母親に届けることが望ましい。
【発明の開示】
【発明が解決しようとする課題】
【０００３】
ところが、新生児の多くは、生後５〜７日位で病院を退院するので、新生児の氏名が決るまでに４〜５日位かかると、新生児用品に氏名を表示する刺繍を縫着する作業時間が新生児の入院が病院を退院するまでに間に合わないため新生児のネームを入れないでプレゼントされたり、退院後に母親に渡されたりしているため新生児用品の改善が望まれていた。
【０００４】
解決しようとする課題は、新生児用品に新生児の氏名を表示する刺繍を短時間で縫着できる新生児用品を提供することを目的とする。
【課題を解決するための手段】
【０００５】
上記課題を解決するために請求項１に記載の発明は、出産時の病院を退院する新生児が身に着ける衣服、靴下、帽子、エプロン、おくるみ等の所定部位に氏名を表示するための氏名表示領域を設け、該氏名表示領域に新生児の氏名を表示する刺繍を設けたネームラベルを縫着したことを特徴とする新生児用品である。
【０００６】
また、請求項２に記載の発明は、前記ネームラベルは前記氏名表示領域に合致させて環状に縫着され、前記氏名表示領域には、前記ネームラベルが縫着された状態における環状の輪郭模様を有する模様が設けられたことを特徴とする新生児用品である。
【発明の効果】
【０００７】
本発明によれば、新生児用品の提供者（販売者）は、様々な氏名を表示する刺繍を設けたネームラベルを多数形成しておき、新生児の氏名が決ったと連絡を受けたら、該当する氏名を表示する刺繍を設けたネームラベルを選別して、衣服、靴下、帽子、おくるみ等の新生児用品の所定部位に設けた氏名表示領域に選別したネームラベルを縫着することで、迅速な対応が可能となる。
【発明を実施するための最良の形態】
【０００８】
以下、図面に基づいて本発明の実施例を説明する。
【実施例１】
【０００９】
図１は本発明に係る実施例１を示す新生児服（ベビードレス、上着等）１０の概略図である。新生児服１０の前身頃１１の所定の部位（図では胸）に、新生児の氏名を表示するための氏名表示領域１２が設けられている。氏名表示領域１２は、例えば、楕円の小領域であり、領域内は、領域外の前身頃１１とは別の色で形成されていたり、氏名表示領域１２の周囲を囲んで環状のマークが印刷される等して前身頃１１において氏名表示領域１２が識別可能に設けられている。
【００１０】
図２に示すようにネームラベル１３は、新生児の氏名を表示する刺繍を設けたもので、図３に示すように無地の小布片の領域１３ａの中央部（中央部でなくても良い）に刺繍で新生児の氏名及び環状の輪郭模様が入れられて氏名の刺繍１３ｂと環状の輪郭模様の刺繍１４が設けられている。このネームラベル１３は、氏名表示領域１２の位置に合致するように重ねて配置され、その周囲を囲んで環状に逢着されている。
【００１１】
ネームラベル１３は、新生児服１０の氏名表示領域１２の位置に合致させてその周囲を囲んで環状に逢着される際に環状の輪郭模様の刺繍１４と略同様な外観模様の刺繍を形成するので、ネームラベル１３に輪郭模様の刺繍１４がないものでも、略同様な外観となるので使用可能である。なおネームラベル１３は、新生児の氏名の刺繍１３ｂや環状の輪郭模様の刺繍１４に、その無地の小布片の領域１３ａと異なる色彩の糸を編み込むことにより設けられるので、洗濯に対する色落ちに関しプリントを施した場合と比較して非常に強い。
【実施例２】
【００１２】
図３は本発明に係る実施例２を示す新生児用の靴下２０である。靴下２０の所定の部位（図では開口近傍の側部）に、氏名表示領域２２が設けられている。ネームラベル１３は、氏名表示領域２２の位置に重ねて合致させて配置され、その周囲を囲んで環状に逢着されている。氏名表示領域２２は、識別が必要な際以外は目に付き難くしたい場合には、靴下の足底の部分、例えば、ソックスの土踏まずの部分に形成することが望ましい。
【実施例３】
【００１３】
図４は本発明に係る実施例３を示す新生児用の帽子３０である。帽子３０の所定の部位（図では開口近傍の側部）に、氏名表示領域３２が設けられている。ネームラベル１３は、氏名表示領域３２の位置に重ねて合致させて配置され、その周囲を囲んで環状に逢着されている。
【実施例４】
【００１４】
図５は本発明に係る実施例４を示す新生児用のおくるみ４０である。おくるみ４０の所定の部位（図では右下部）に、氏名表示領域４２が設けられている。ネームラベル１３は、氏名表示領域４２の位置に重ねて合致させて配置され、その周囲を囲んで環状に逢着されている。
【００１５】
このような新生児用品に付されるネームラベル１３は、様々な色の無地の小布片のラベルのそれぞれに、様々な氏名（同じ氏名でも、ひらがな、カタカナ、漢字、アルファベット）により刺繍で新生児の氏名を入れておいたものを、予め準備しておくと良い。そして、予め準備しておいたネームラベル１３の中から該当するものを選んで新生児用品の氏名表示領域の位置に合致させて逢着することで、迅速な対応が可能となる。
【００１６】
なお、新生児用品に取り付けたネームラベル１３は、退院後の使用状態によっては、剥がれたり、取り外されたりして、新生児用品の所定の部位に設けられる氏名表示領域がそのまま、剥き出しになることが予想される。そこで、図６に示すように氏名表示領域には、ネームラベル１３が逢着された状態と極めて類似した、環状の輪郭模様の刺繍１４の図柄の模様５０を（刺繍、印刷等で）設けておくと、新生児用品に取り付けたネームラベル１３が、外れて氏名表示領域が剥き出しになっても違和感がなく好ましい。
【００１７】
また、ネームラベル１３は、新生児の成長後に不用となる新生児用品から取り外して、単にネームラベルとして利用されることも予想される。そこで、ネームラベル１３の裏面に熱可塑性樹脂を塗布して、熱可塑性樹脂膜を設けておく。熱可塑性樹脂膜は、洗濯による水洗いでもそれほど劣化しないから、新生児の成長後に着る子供服にネームラベル１３を取り付けたい場合には、ネームラベル１３の上からアイロンで加熱して子供服に容易に取り付けることができる。
【００１８】
以上説明したように、本発明によれば、新生児用品の提供者（販売者）は、様々な氏名を表示する刺繍を設けたネームラベルを多数形成しておき、新生児の氏名が決ったと連絡を受けたら、その氏名に該当する氏名を表示する刺繍を設けたネームラベルを選別して、衣服、靴下、帽子、おくるみ等の新生児用品の所定部位に設けた氏名表示領域に選別したネームラベルを縫着することで、迅速な対応が可能となる等優れた効果を奏する。
【００１９】
また、新生児用品のネームラベルが逢着される氏名表示領域に、ネームラベルが逢着された状態と極めて類似した、環状の輪郭模様を設けておくと、新生児用品に取り付けたネームラベルが、外れて氏名表示領域が剥き出しになっても違和感がなくそのまま使用でき好ましい。
【産業上の利用可能性】
【００２０】
本発明は前記実施例に限定されるものではなく、例えば、手袋、靴、よだれかけ等でも良く、特許請求の範囲に記載された本発明を逸脱することがなければ、種々の設計変更が可能であり、前記実施例に限定されないことはいうまでもない。
【図面の簡単な説明】
【００２１】
【図１】本発明に係る実施例１を示す新生児服の概略図である。
【図２】本発明に係るネームラベル概略図である。
【図３】本発明に係る実施例２を示す新生児用靴下の概略図である。
【図４】本発明に係る実施例３を示す新生児用帽子の概略図である。
【図５】本発明に係る実施例４を示すおくるみの概略図である。
【図６】本発明に係る氏名表示領域の模様を示す説明図である。
【符号の説明】
【００２２】
１０  新生児服
１１  前身頃
１２，２２，３２，４２  氏名表示領域
１３  ネームラベル
１３ａ  無地の小布片の領域
１３ｂ  新生児の氏名の刺繍
１４  環状の輪郭模様の刺繍
２０  靴下
３０  帽子
４０  おくるみ
５０  模様
【図１】
2005325460.tif 000003
【図２】
2005325460.tif 000004
【図３】
2005325460.tif 000005
【図４】
2005325460.tif 000006
【図５】
2005325460.tif 000007
【図６】
2005325460.tif 000008